(57)【要約】【課題】糸貯留装置から糸を高速で引き出した場合であっても張力付与部が適切に張力を付与できる構成の糸巻取装置を提供する。【解決手段】自動ワインダは、給糸ボビン支持部と、糸貯留装置と、巻取部と、を備える。糸貯留装置は、貯留ローラと、張力付与部６４と、を備える。張力付与部６４は、貯留ローラに回転可能に取り付けられ、長手方向の中央よりも回転軸側に重心が配置されるように重り７３が取り付けられ、貯留ローラから引き出される糸に接触して糸に張力を付与する。重り７３は、張力付与部６４の重り７３以外の部分よりも、密度及び重量のうち少なくとも何れかが大きい。【選択図】図３
2016079023.tif 000002
【特許請求の範囲】
【請求項１】
糸を供給することができる給糸部と、
前記給糸部から糸を巻き取って一時的に貯留する糸貯留装置と、
前記糸貯留装置から糸を引き出して巻取ボビンに巻き取ることでパッケージを形成するパッケージ形成部と、
を備え、
前記糸貯留装置は、
糸が巻き付けられることで糸を貯留する貯留体と、
前記貯留体に回転可能に取り付けられ、長手方向の中央よりも回転軸側に重心が配置されるように重りが取り付けられ、前記貯留体から引き出される糸に接触して糸に張力を付与する張力付与部と、
を備え、
前記重りは、前記張力付与部の前記重り以外の部分よりも、密度及び重量のうち少なくとも何れかが大きいことを特徴とする糸巻取装置。
【請求項２】
請求項１に記載の糸巻取装置であって、
前記張力付与部は、
前記貯留体に取り付けられる取付部と、
糸と接触して糸に張力を付与する糸接触部と、
を備え、
前記重りが前記取付部に取り付けられることを特徴とする糸巻取装置。
【請求項３】
請求項１又は２に記載の糸巻取装置であって、
前記張力付与部の回転軸方向で見たときに、当該張力付与部の回転軸と、前記重りの重心と、が重なるように配置されていることを特徴とする糸巻取装置。
【請求項４】
請求項２に記載の糸巻取装置であって、
前記重りが金属製であることを特徴とする糸巻取装置。
【請求項５】
請求項４に記載の糸巻取装置であって、
前記取付部が樹脂製であり、前記糸接触部が炭素繊維製であることを特徴とする糸巻取装置。
【請求項６】
請求項３に記載の糸巻取装置であって、
前記重りは、前記張力付与部の回転軸方向で見たときに円形であることを特徴とする糸巻取装置。
【請求項７】
請求項１から６までの何れか一項に記載の糸巻取装置であって、
前記張力付与部は、前記貯留体に対して着脱可能であることを特徴とする糸巻取装置。
【請求項８】
糸を供給することができる給糸部と、
前記給糸部から糸を巻き取って一時的に貯留する糸貯留装置と、
前記糸貯留装置から糸を引き出して巻取ボビンに巻き取ることでパッケージを形成するパッケージ形成部と、
を備え、
前記糸貯留装置は、
糸が巻き付けられることで糸を貯留する貯留体と、
前記貯留体に回転可能に取り付けられ、前記貯留体から引き出される糸に接触して糸に張力を付与する張力付与部と、
を備え、
前記張力付与部は、少なくとも、前記貯留体に取り付けられる取付部と、糸と接触する糸接触部と、を備え、
前記取付部は、前記糸接触部よりも、密度及び重量のうち少なくとも何れかが大きいことを特徴とする糸巻取装置。
【請求項９】
糸を供給することができる給糸部と、
前記給糸部から糸を巻き取って一時的に貯留する糸貯留装置と、
前記糸貯留装置から糸を引き出して巻取ボビンに巻き取ることでパッケージを形成するパッケージ形成部と、
を備え、
前記糸貯留装置は、
糸が巻き付けられることで糸を貯留する貯留体と、
前記貯留体に回転可能に取り付けられ、回転軸又はその近傍から一側に延びるように形成された長手状の部材であり、糸に接触して糸に張力を付与する糸接触部を有する張力付与部と、
を備え、
前記張力付与部を長手方向に４つの領域に等分割したときに、回転軸に最も近い領域に、前記張力付与部の重心が存在することを特徴とする糸巻取装置。
【発明の詳細な説明】
【技術分野】
【０００１】
本発明は、主として、糸貯留装置から解舒される糸に張力を付与する張力付与部を備える糸巻取装置に関する。
【背景技術】
【０００２】
従来から、自動ワインダや紡績機等の糸巻取装置において、回転する貯留ローラの周囲に糸を巻き付ける糸貯留装置と、糸貯留装置から引き出される糸に張力を付与する張力付与部と、を備える構成が知られている。特許文献１は、この種の糸巻取装置を開示する。
【０００３】
特許文献１の糸貯留装置は、糸掛け体と、アーム部と、を備える。糸掛け体は、糸に接触して糸に張力を付与する。アーム部は、糸掛け体が固定されるとともに、フライヤー軸を介して糸貯留装置に取り付けられる。なお、アーム部の内部には弾性部材が配置されている。
【先行技術文献】
【特許文献】
【０００４】
【特許文献１】特開２０１０−１８００２３号公報
【発明の概要】
【発明が解決しようとする課題】
【０００５】
糸貯留装置から糸が引き出される速度（巻取速度）が速くなるに伴い、張力付与部に作用する慣性力が大きくなる。その結果、張力付与部が一定の力で糸の変動に追従できなくなるため、糸に接触できなくなるため、張力の変動量が大きくなる。また、張力付与部から一時的に糸が離れたり、綾落ちが発生したり、張力付与部から糸が完全に外れたりすることがある。
【０００６】
張力付与部に作用する慣性力を抑えるために張力付与部を軽量化した場合、糸に十分な力を掛けることができないため、糸に所望の張力を付与することが困難となる。
【０００７】
また、特許文献１では、張力付与部に作用する慣性力に関する事項、及び、張力付与部の重量バランスについては記載されていない。なお、特許文献１では回転軸の近くに弾性部材が配置されているが、弾性部材はゲル材料等であるため軽量な部材である。
【０００８】
本発明は以上の事情に鑑みてされたものであり、その主要な目的は、糸貯留装置から糸を高速で引き出した場合であっても張力付与部が適切に張力を付与できる構成の糸巻取装置を提供することにある。
【課題を解決するための手段及び効果】
【０００９】
本発明の解決しようとする課題は以上の如くであり、次にこの課題を解決するための手段とその効果を説明する。
【００１０】
本発明の第１の観点によれば、以下の構成の糸巻取装置が提供される。即ち、この糸巻取装置は、給糸部と、糸貯留装置と、パッケージ形成部と、を備える。前記給糸部は、糸を供給することができる。前記糸貯留装置は、前記給糸部から糸を巻き取って一時的に貯留する。前記パッケージ形成部は、前記糸貯留装置から糸を引き出して巻取ボビンに巻き取ることでパッケージを形成する。前記糸貯留装置は、貯留体と、張力付与部と、を備える。前記貯留体は、糸が巻き付けられることで糸を貯留する。前記張力付与部は、前記貯留体に回転可能に取り付けられ、長手方向の中央よりも回転軸側に重心が配置されるように重りが取り付けられ、前記貯留体から引き出される糸に接触して糸に張力を付与する。前記重りは、前記張力付与部の前記重り以外の部分よりも、密度及び重量のうち少なくとも何れかが大きい。
【００１１】
これにより、張力付与部の中央よりも回転軸側に重心が配置されるように重りが取り付けられるため、張力付与部が受ける慣性の影響を抑えることができる。従って、糸貯留装置から糸が高速で引き出される場合であっても、張力付与部が糸に適切な張力を付与することができる。
【００１２】
前記の糸巻取装置においては、以下の構成とすることが好ましい。即ち、前記張力付与部は、取付部と、糸接触部と、を備える。前記取付部は、前記貯留体に取り付けられる。前記糸接触部は、糸と接触して糸に張力を付与する。前記重りが前記取付部に取り付けられる。
【００１３】
これにより、回転軸に近い部分に重りが取り付けられるので、張力付与部が受ける慣性の影響を一層抑えることができる。
【００１４】
前記の糸巻取装置においては、前記張力付与部の回転軸方向で見たときに、当該張力付与部の回転軸と、前記重りの重心と、が重なるように配置されていることが好ましい。
【００１５】
これにより、張力付与部の回転軸の更に近傍に重りが配置されることとなるので、張力付与部が受ける慣性の影響を一層抑えることができる。
【００１６】
前記の糸巻取装置においては、前記重りが金属製であることが好ましい。
【００１７】
これにより、金属は一般的に密度が大きいので、重りの大きさを抑えることができる。
【００１８】
前記の糸巻取装置においては、前記取付部が樹脂製であり、前記糸接触部が炭素繊維製であることが好ましい。
【００１９】
これにより、重り以外の部材が比較的軽くなるため、張力付与部が受ける慣性の影響を一層抑えることができる。また、糸に接触する糸接触部は摩耗し易いため、炭素繊維製の糸接触部を用いることで、耐久性が向上し、更に剛性が上がることにより、高速回転に対応することもできる。
【００２０】
前記の糸巻取装置においては、前記重りは、前記張力付与部の回転軸方向で見たときに円形であることが好ましい。
【００２１】
これにより、回転軸方向で見たときに、重りの中心（重心）の周囲に均等に重さが分布するため、張力付与部が受ける慣性の影響を一層抑えることができる。
【００２２】
前記の糸巻取装置においては、前記張力付与部は、前記貯留体に対して着脱可能であることが好ましい。
【００２３】
これにより、張力付与部が摩耗した場合に交換を行うことができる。また、設定した巻取速度に応じて、重りの重量が異なる張力付与部を交換することができる。
【００２４】
本発明の第２の観点によれば、以下の構成の糸巻取装置が提供される。即ち、この糸巻取装置は、給糸部と、糸貯留装置と、パッケージ形成部と、を備える。前記給糸部は、糸を供給することができる。前記糸貯留装置は、前記給糸部から糸を巻き取って一時的に貯留する。前記パッケージ形成部は、前記糸貯留装置から糸を引き出して巻取ボビンに巻き取ることでパッケージを形成する。前記糸貯留装置は、貯留体と、張力付与部と、を備える。前記貯留体は、糸が巻き付けられることで糸を貯留する。前記張力付与部は、前記貯留体に回転可能に取り付けられ、前記貯留体から引き出される糸に接触して糸に張力を付与する。前記張力付与部は、少なくとも、前記貯留体に取り付けられる取付部と、糸と接触する糸接触部と、を備える。前記取付部は、前記糸接触部よりも、密度及び重量のうち少なくとも何れかが大きい。
【００２５】
これにより、張力付与部の回転軸側の重さが重くなるため、張力付与部が受ける慣性の影響を抑えることができる。従って、糸貯留装置から糸が高速で引き出される場合であっても、張力付与部が糸に適切な張力を付与することができる。
【００２６】
本発明の第３の観点によれば、以下の構成の糸巻取装置が提供される。即ち、この糸巻取装置は、給糸部と、糸貯留装置と、パッケージ形成部と、を備える。前記給糸部は、糸を供給することができる。前記糸貯留装置は、前記給糸部から糸を巻き取って一時的に貯留する。前記パッケージ形成部は、前記糸貯留装置から糸を引き出して巻取ボビンに巻き取ることでパッケージを形成する。前記糸貯留装置は、貯留体と、張力付与部と、を備える。前記貯留体は、糸が巻き付けられることで糸を貯留する。前記張力付与部は、前記貯留体に回転可能に取り付けられ、回転軸又はその近傍から一側に延びるように形成された長手状の部材であり、糸に接触して糸に張力を付与する糸接触部を有する。前記張力付与部を長手方向に４つの領域に等分割したときに、回転軸に最も近い領域に、前記張力付与部の重心が存在する。
【００２７】
これにより、張力付与部の回転軸側の重さが重くなるため、張力付与部が受ける慣性の影響を抑えることができる。従って、糸貯留装置から糸が高速で引き出される場合であっても、張力付与部が糸に適切な張力を付与することができる。
【図面の簡単な説明】
【００２８】
【図１】本発明の実施形態に係る自動ワインダが備えるワインダユニットの模式的な側面図。
【図２】貯留ローラ及び張力付与部の構成を示す概略断面図。
【図３】本実施形態及び比較例に係る張力付与部の形状を示す斜視図。
【図４】本実施形態と比較例で重心の位置と張力の変動量を比較する表。
【図５】糸速度が１２００ｍ／ｍｉｎにおいて本実施形態と比較例の張力変動を示すグラフ。
【図６】糸速度が６００ｍ／ｍｉｎにおいて本実施形態と比較例の張力変動を示すグラフ。
【発明を実施するための形態】
【００２９】
次に、本発明の実施形態について説明する。初めに、図１を参照して、自動ワインダ（糸巻取装置）の概要について説明する。自動ワインダは、多数のワインダユニット２を並べて配置した構成となっている。また、この自動ワインダは、ワインダユニット２を集中的に管理するための図略の機台管理装置と、圧縮空気源及び負圧源を備えた図略のブロアボックスと、を備えている。
【００３０】
図１に示すように、ワインダユニット２は、制御部５０と、給糸ボビン支持部（給糸部）７と、巻取部（パッケージ形成部）８と、を主に備えている。このワインダユニット２は、給糸ボビン支持部７に支持された給糸ボビン２１の糸（紡績糸）２０を解舒して、パッケージ３０に巻き返すように構成されている。なお、以下の説明では、糸２０の走行方向で見たときの上流側及び下流側を単に「上流側」「下流側」等と称する。
【００３１】
制御部５０は、図略のＣＰＵ、ＲＯＭ、ＲＡＭ等のハードウェアと、ＲＯＭに記憶された制御プログラム等のソフトウェアと、から構成されている。そして、これらのハードウェアとソフトウェアが協働することにより、ワインダユニット２の各部を制御する。また、各ワインダユニット２が備える制御部５０は、上述の機台管理装置と通信可能である。これにより、自動ワインダが備える複数のワインダユニット２の動作を、機台管理装置において集中的に管理することが可能である。
【００３２】
給糸ボビン支持部７は、給糸ボビン２１を略直立状態で保持する。また、この給糸ボビン支持部７は、空になった給糸ボビン２１を排出可能である。また、ワインダユニット２の正面側には、マガジン式のボビン供給装置２６が配置されている。このボビン供給装置２６は、回転式のマガジンカン２７を備えている。このマガジンカン２７は予備の給糸ボビン２１を複数保持することが可能である。ボビン供給装置２６は、マガジンカン２７を間欠的に回転駆動することにより、給糸ボビン支持部７に対して新しい給糸ボビン２１を供給できる。
【００３３】
巻取部８は、巻取ボビン２２を装着可能に構成されたクレードル２３と、糸２０をトラバースさせるとともに巻取ボビン２２を駆動するための綾振ドラム２４と、を備えている。
【００３４】
綾振ドラム２４は巻取ボビン２２に対向して配置されている。綾振ドラム２４を図略のモータによって回転駆動することにより、巻取ボビン２２及びパッケージ３０が従動回転する。これにより、後述の糸貯留装置１９の貯留ローラ（貯留体）６１に貯留された糸２０をパッケージ３０に巻き取ることができる。
【００３５】
また、綾振ドラム２４の外周面には図略の綾振溝が形成されており、この綾振溝によって糸２０を所定の幅で綾振りすることができる。以上の構成により、糸２０を綾振りしながら巻取ボビン２２に巻き付けることで、所定形状のパッケージ３０を形成することができる。
【００３６】
ワインダユニット２には、給糸ボビン支持部７と巻取部８との間の糸走行経路中に、給糸ボビン支持部７側から巻取部８側へ向かう順に、解舒補助装置１０と、下糸吹上げ部１１と、ゲート式テンサ１２と、上糸捕捉部１３と、糸継装置１４と、ヤーントラップ１５と、カッタ１６と、糸監視装置１７と、上糸引出し部１８と、糸貯留装置１９と、が配置されている。
【００３７】
解舒補助装置１０は、給糸ボビン２１から解舒される糸２０が振り回されて給糸ボビン２１の上部に形成されるバルーンに対し、可動部材１０ａを接触させる。これにより、バルーンの大きさを適切に制御して、糸２０の解舒を補助する。
【００３８】
下糸吹上げ部１１は、給糸ボビン支持部７と糸継装置１４との間に配置されたエアサッカー装置であり、給糸ボビン２１の交換時において、給糸ボビン２１側の下糸を糸継装置１４側に向かって送出する。
【００３９】
ゲート式テンサ１２は、走行する糸２０に所定のテンションを付与する。本実施形態のゲート式テンサ１２は、固定の櫛歯に対して可動の櫛歯を配置するゲート式である。可動側の櫛歯は、櫛歯同士が噛合せ状態又は解放状態になるように、ロータリ式のソレノイドにより回動可能である。なお、ゲート式テンサ１２のテンション付与装置に代えて、例えばディスク式のテンション付与装置を配置しても良い。
【００４０】
上糸捕捉部１３は、糸継装置１４と給糸ボビン支持部７との間に配置されている。この上糸捕捉部１３は図略の負圧源に接続されており、糸継時に吸引空気流を発生させることができる。なお、糸継ぎ時にワインダユニット２の各部が行う処理については後述する。
【００４１】
ヤーントラップ１５は、糸継装置１４と糸貯留装置１９との間に配置されている。このヤーントラップ１５の先端は筒状の部材として形成されており、糸２０の走行経路に接近して設けられている。ヤーントラップ１５は、図略の負圧源に接続されており、先端に吸引空気流を発生させることで、走行する糸２０に付着している風綿などのゴミを吸引除去することができる。
【００４２】
糸監視装置１７は、糸２０の糸太さを監視することにより、スラブ等の糸欠陥を検出するように構成されている。糸監視装置１７は、糸欠陥を検出すると、当該糸欠陥の切断除去を指示する信号をカッタ１６へ出力する。前記カッタ１６は、信号に応じて直ちに糸２０を切断するために糸監視装置１７の近傍に配置されている。
【００４３】
糸継装置１４は、糸監視装置１７が糸欠陥を検出してカッタ１６で糸２０を切断する時、給糸ボビン２１から解舒した糸２０の糸が切れた時、又は給糸ボビン２１を交換する時等において、分断状態となった給糸ボビン２１側の下糸と、糸貯留装置１９側の上糸とを糸継ぎする。糸継装置１４としては、圧縮空気等の流体を用いるものや、機械式のものを使用することができる。
【００４４】
上糸引出し部１８は、糸貯留装置１９のすぐ上流に配置されたエアサッカー装置であり、圧縮空気により、糸貯留装置１９側の上糸を糸案内パイプ３６に向けて送り出すことができる。
【００４５】
糸継ぎを行う場合、初めに制御部５０は、下糸吹上げ部１１によって、給糸ボビン２１側の糸２０を上に向けて吹き上げる。吹き上げられた糸２０は、ヤーントラップ１５に吸引されて捕捉される。これにより、当該給糸ボビン２１側の糸２０を糸継装置１４に案内することができる。
【００４６】
また、糸切れ又は糸切断等によって形成された糸端は貯留ローラ６１に巻き取られている。そのため、制御部５０は、上糸引出し部１８に吸引流を発生させながら貯留ローラ６１を所定量逆転させる。これにより、貯留ローラ６１の表面に位置していた糸２０の糸端が上糸引出し部１８によって吸引して捕捉される。
【００４７】
上糸引出し部１８は、吸引して捕捉した糸２０を、糸案内パイプ３６に向けて吹き飛ばす。糸２０は糸案内パイプ３６に沿って送られ、上糸捕捉部１３に吸引されて捕捉される。糸案内パイプ３６には、長手方向に沿って図略のスリットが形成されており、上糸捕捉部１３が糸２０の吸引を継続することで、当該スリットから糸２０を取り出すことができる。これにより、糸貯留装置１９側の糸２０を糸継装置１４に案内することができる。
【００４８】
糸継装置１４に給糸ボビン２１側の糸と糸貯留装置１９側の糸が案内されたこの状態で、制御部５０は糸継装置１４を作動させて、これらの糸２０を継ぐ。制御部５０は、糸継ぎが完了すると、糸貯留装置１９を巻取り時の方向に回転することにより、糸貯留装置１９への糸２０の巻き取りを再開する。
【００４９】
糸貯留装置１９は、給糸ボビン２１から解舒した糸２０を一時的に貯留する。図２及び図３（ａ）に示すように、糸貯留装置１９は、貯留ローラ６１と、貯留ローラ駆動モータ６２と、張力付与部６４と、を備えている。
【００５０】
貯留ローラ６１は、略円筒状の部材として形成されており、中心軸線を中心として回転することで給糸ボビン２１から糸２０を引き出して、その外周面に糸２０を巻き付けて貯留する。貯留ローラ駆動モータ６２は、貯留ローラ６１を、その中心軸線を中心として回転駆動する。
【００５１】
ワインダユニット２は、糸貯留装置１９に一定量の糸２０を貯留しているので、何らかの理由で給糸ボビン２１からの糸２０の解舒が中断された場合（例えば糸継ぎを行う場合）であっても、糸貯留装置１９に貯留された糸２０を巻き取ることができる。これにより、糸２０の糸貯留装置１９からの糸２０の引き出しが中断された場合であっても、パッケージ３０への糸２０の巻取りを継続することができる。
【００５２】
また、貯留ローラ６１は、支持軸６３を備える。支持軸６３は、貯留ローラ６１に対して相対回転可能に構成されている。支持軸６３の端部（張力付与部６４が位置する側の端部）には、断面が円形の取付凹部６３ａが形成されている。
【００５３】
張力付与部６４は、支持軸６３に取り付けられ、貯留ローラ６１の回転軸を中心として、支持軸６３と一体的に回転可能（即ち貯留ローラ６１に対して相対回転可能）に構成されている。以下の説明では、貯留ローラ６１及び張力付与部６４の回転軸を単に「回転軸」と称することがある。糸２０は、貯留ローラ６１から引き出された後、張力付与部６４に引っ掛けられ、下流側へ引き出される。図２及び図３（ａ）に示すように、張力付与部６４は、取付部７１と、糸接触部７２と、重り７３と、を備えている。
【００５４】
取付部７１は、樹脂製であり、貯留ローラ６１（支持軸６３）に取り付けられる部材である。取付部７１の一面には、円柱状に突出する取付凸部７１ａが形成されている。取付凸部７１ａを取付凹部６３ａに挿入して固定することで、張力付与部６４が貯留ローラ６１（支持軸６３）に取り付けられる。なお、取付凸部７１ａは取付凹部６３ａに対して着脱可能に構成されている。このように、取付部７１は回転軸と交差する位置に配置されている。
【００５５】
糸接触部７２は、炭素繊維製であり、取付部７１から貯留ローラ６１の径方向（回転軸に垂直な方向）に延びる細長状の部材である。糸接触部７２は、回転軸から遠い側の端部近傍において、貯留ローラ６１から引き出される糸２０に接触することで糸２０に張力を付与する。
【００５６】
重り７３は、金属製であり、取付部７１のうち取付凸部７１ａの反対側の面に取り付けられている。重り７３は略円板状であり、回転軸方向で見たときに、重り７３の中心（即ち重り７３の重心）と回転軸とが一致するように配置されている。換言すれば、重り７３の重心は、張力付与部６４の長手方向の中央よりも回転軸側に配置されている。
【００５７】
本実施形態では、重り７３を構成する金属の密度は、取付部７１を構成する樹脂の密度より大きく、糸接触部７２を構成する炭素繊維の密度よりも大きい。また、重り７３の重量は、取付部７１の重量よりも大きく、糸接触部７２の重量よりも大きい。また、重り７３は回転軸の近傍に配置されている。
【００５８】
以上により、本実施形態の張力付与部６４は、重量を回転軸の近傍に集中させることができる。具体的には、張力付与部６４の長手方向に沿う全長（貯留ローラ６１の径方向に沿う全長）を１００としたときに、張力付与部６４の重心は、基端側の端部（回転軸側の端部）から１３．９離れた位置に存在している。換言すれば、張力付与部６４を長手方向に４つの領域に等分割したときに、回転軸側の端の領域に、張力付与部６４の重心が存在する。
【００５９】
一般的に、回転軸から遠い位置に重量が大きい物が配置されることで慣性力が大きくなる。そのため、回転軸の中心に近い位置に重量が大きいものを配置することで、慣性の影響が相対的に小さくなると考えられる。従って、張力付与部６４の回転軸の近傍に重り７３を配置することで、慣性の影響を抑えることができる。
【００６０】
ここで、自動ワインダでは、紡績機等と比較して糸２０が巻き取られる速度が速いため、張力付与部６４が高速で回転することとなり、慣性の影響が大きくなる。しかし、本実施形態の自動ワインダでは、上述のように慣性の影響を抑えることができるので、張力付与部６４が糸２０に適切な力で接触し続けることができる。従って、糸２０に付与する張力の変動を抑えるとともに、張力付与部６４から糸２０が外れることを防止できる。
【００６１】
次に、図３から図６を参照して、本実施形態の効果を確かめるために行った実験について説明する。図３（ａ）から図３（ｃ）には、今回の実験で用いた張力付与部が示されている。図３（ａ）は、上記で説明した本実施形態の張力付与部６４である。
【００６２】
図３（ｂ）に示す比較例１の張力付与部は、本実施形態の張力付与部６４から重り７３を除去した構成である。比較例１の張力付与部の重心は、基端側の端部（回転軸側の端部）から２６．１離れた位置に存在している。従って、張力付与部を長手方向に４つの領域に等分割したときに、回転軸側の端から２番目の領域に、張力付与部の重心が存在する。
【００６３】
図３（ｃ）に示す比較例２の張力付与部は、本実施形態の張力付与部６４から重り７３を除去するとともに、糸接触部７２の反対側に棒状部材を形成した構成である。この棒状部材は、糸接触部の長手方向から少しズレた方向に突出するとともに、糸接触部と同程度の長さを有する部材である。この棒状部材が形成されることで、比較例２の張力付与部の重心は、比較例１より回転軸の近くに位置することになる。しかし、上述したように慣性力は回転軸から遠い位置に物が配置されることで大きくなるため、比較例２では比較例１よりも慣性の影響が大きくなると考えられる。つまり、回転軸から両側に突出する部材が配置されている場合、重心の位置を用いて慣性の影響を見積もることができない。以上を考慮して、比較例２では重心の位置の記載を省略している。
【００６４】
今回行った実験では、本実施形態、比較例１、及び比較例２の張力付与部を用いて糸の巻取りを行い、巻取り中における張力の変化を測定した。図４には、それぞれの張力付与部について、重量、重心位置（全長に対する、回転軸側の端部から重心までの距離）、張力変動量が示されている。張力変動量は、張力の変動を示す量であり、張力の変動が大きいほど張力変動量は大きな値を示す。
【００６５】
図４に示されているように、本実施形態の張力付与部６４を用いることで、比較例１又は比較例２よりも、張力の変動を抑制できる（慣性の影響が抑制される）。また、上記で示したように、比較例２は、棒状部材の影響により、比較例１よりも張力の変動が大きいことが確認できる。従って、仮に棒状部材が糸接触部の長手方向と同じ方向に延びるように形成されていた場合であっても、棒状部材の長さが糸接触部の長さよりも短い場合であっても、本実施形態の張力付与部よりは張力の変動が大きいと考えられる。
【００６６】
図５及び図６は、上記の実験で得られたデータのうち、本実施形態と比較例１の張力の変動を示すグラフである。図５は、糸速度が１２００ｍ／ｍｉｎのときの張力の変動を示している。図６は、糸速度が６００ｍ／ｍｉｎのときの張力の変動を示している。図５及び図６に示されているように、本実施形態の張力付与部を用いることで、比較例１を用いる場合よりも、張力の変動を抑制できる。
【００６７】
以上に説明したように、本実施形態の自動ワインダは、給糸ボビン支持部７と、糸貯留装置１９と、巻取部８と、を備える。給糸ボビン支持部７は、糸２０を供給することができる。糸貯留装置１９は、給糸ボビン支持部７から糸２０を巻き取って一時的に貯留する。巻取部８は、糸貯留装置１９から糸２０を引き出して巻取ボビン２２に巻き取ることでパッケージ３０を形成する。糸貯留装置１９は、貯留ローラ６１と、張力付与部６４と、を備える。貯留ローラ６１は、糸２０が巻き付けられることで糸２０を貯留する。張力付与部６４は、貯留ローラ６１に回転可能に取り付けられ、長手方向の中央よりも回転軸側に重心が配置されるように重り７３が取り付けられ、貯留ローラ６１から引き出される糸２０に接触して糸２０に張力を付与する。重り７３は、張力付与部６４の重り７３以外の部分よりも、密度及び重量のうち少なくとも何れかが大きい。
【００６８】
これにより、張力付与部６４の中央よりも回転軸側に重心が配置されるように重り７３が取り付けられるため、張力付与部６４が受ける慣性の影響を抑えることができる。従って、糸貯留装置１９から糸２０が高速で引き出される場合であっても、張力付与部６４が糸２０に適切な張力を付与することができる。なお、自動ワインダは巻取速度が速いので慣性力が大きくなるため、慣性の影響を抑えるという効果を特に有効に発揮させることができる。
【００６９】
また、本実施形態の自動ワインダにおいて、張力付与部６４は、取付部７１と、糸接触部７２と、を備える。取付部７１は、貯留ローラ６１に取り付けられる。糸接触部７２は、糸２０と接触して糸２０に張力を付与する。重り７３が取付部７１に取り付けられる。
【００７０】
これにより、回転軸に近い部分に重り７３が取り付けられるので、張力付与部６４が受ける慣性の影響を一層抑えることができる。
【００７１】
また、本実施形態の自動ワインダにおいて、張力付与部６４の回転軸方向で見たときに、当該張力付与部６４の回転軸と、重り７３の重心と、が重なるように配置されている。
【００７２】
これにより、張力付与部６４の回転軸の更に近傍に重り７３が配置されることとなるので、張力付与部６４が受ける慣性の影響を一層抑えることができる。
【００７３】
また、本実施形態の自動ワインダにおいて、重り７３が金属製であり、取付部７１が樹脂製であり、糸接触部７２が炭素繊維製である。
【００７４】
これにより、金属は一般的に密度が大きいので、重り７３の大きさ（体積）を抑えることができる。また、重り７３以外の部材が比較的軽くなるため、張力付与部６４が受ける慣性の影響を一層抑えることができる。また、糸２０に接触する糸接触部７２は摩耗し易いため、炭素繊維製の糸接触部７２を用いることで、耐久性が向上し、更に剛性が上がることにより、高速回転に対応することもできる。
【００７５】
また、本実施形態の自動ワインダにおいて、重り７３は、張力付与部６４の回転軸方向で見たときに円形である。
【００７６】
これにより、回転軸方向で見たときに、重り７３の中心（重心）の周囲に均等に重さが分布するため、張力付与部６４が受ける慣性の影響を一層抑えることができる。
【００７７】
また、本実施形態の自動ワインダにおいては、張力付与部６４は、貯留ローラ６１に対して着脱可能である。
【００７８】
これにより、張力付与部６４が摩耗した場合に交換を行うことができる。また、設定した巻取速度に応じて、重り７３の重量が異なる張力付与部６４を交換することができる。
【００７９】
なお、上記では重り７３を用いることで、回転軸の近傍に重量を集中させて慣性の影響を抑制したが、それに代えて取付部７１の重量を重くすることで、慣性の影響を抑制することもできる。この場合、例えば取付部７１を金属製にし、取付部７１が回転軸の近傍にのみ位置するような形状とすることが好ましい。
【００８０】
本発明によれば、糸２０を給糸ボビン支持部７と巻取部８との間に渡してから、糸２０を張力付与部６４に糸掛けすることができ、張力付与部６４への糸掛けを容易に行うことができる。また、張力付与部６４への糸掛けを行った後に貯留ローラ６１を回転させれば、糸２０が貯留ローラ６１に巻き付けられるので、貯留ローラ６１への糸掛けが行われる。これにより、巻取ボビン２２への糸巻き付け作業を容易に行うことができる。
【００８１】
以上に本発明の好適な実施の形態を説明したが、上記の構成は例えば以下のように変更することができる。
【００８２】
取付部７１、糸接触部７２、及び重り７３の形状、取付方法、取付位置、及び材料等は任意であり適宜変更することができる。ただし、重り７３の材料は、取付部７１及び糸接触部７２の材料よりも、密度及び重量のうち少なくとも何れかが大きいことが好ましい。また、重り７３は、取付凸部７１ａと同じ側に接続されていても良い。また、取付部７１及び糸接触部７２を同じ材料としても良いし、取付部７１及び糸接触部７２を１つの部材で構成しても良い。また、取付け部７１に重量が大きい物質を埋め込んだり（たとえばインサート成形）、取付け部７１の体積や比重を大きくすることにより、取付部７１自体に重りとしての機能を付加しても良い。
【００８３】
上記では、綾振ドラム２４によって糸２０をトラバースさせる例を説明したが、例えばアーム式の綾振り機構で糸２０をトラバースさせる構成としても良い。この場合、巻取ボビン２２の近傍にモータを配置してパッケージ３０を直接的に駆動しても良い。
【００８４】
上記では、マガジン式のボビン供給装置２６により給糸ボビン２１を供給する例を説明したが、トレイ式のボビン供給装置を備えた糸巻取装置であっても良い。
【００８５】
上記では、本発明を自動ワインダに適用する例を説明したが、精紡機等の他の糸巻取装置に適用することもできる。精紡機に適用した場合、スライバから紡績糸を紡績する紡績部が給糸部に該当する。
【符号の説明】
【００８６】
２  ワインダユニット
７  給糸ボビン支持部（給糸部）
８  巻取部（パッケージ形成部）
１８  上糸引出し部（貯留糸引出し部）
１９  糸貯留装置
６１  貯留ローラ（貯留体）
６２  貯留ローラ駆動モータ
６３  支持軸
６４  張力付与部
７１  取付部
７２  糸接触部
７３  重り
【図１】
2016079023.tif 000003
【図２】
2016079023.tif 000004
【図３】
2016079023.tif 000005
【図４】
2016079023.tif 000006
【図５】
2016079023.tif 000007
【図６】
2016079023.tif 000008